(57)【要約】【課題】風による開閉蓋の浮き上がり発生を抑えた空気調和機の排気排塵ダンパーを提供する。【解決手段】換気機能及びフィルター掃除機能を有する空気調和機（図示せず）に接続された換気、排塵用のホース（実施せず）の先端に取り付けられる軸構造２と、前記軸構造２の開口部２ａに開閉自在に設けられた開閉蓋１と、前記軸構造２及び前記開閉蓋１を覆うカフス（図示せず）から構成され、前記開閉蓋１の外形を、前記開口部２ａの外形よりも小さくしたもので、開閉蓋１の閉時に、軸構造２の外形よりも開閉蓋１がはみ出さず、外部から、開閉蓋１を持ち上げる力を受けにくい構造となり、風の吹き上がりなど外部からの影響による開閉蓋１の浮きあがりを抑制することが出来る。【選択図】図２
2008224138.tif 000002
【特許請求の範囲】
【請求項１】
換気機能及びフィルター掃除機能を有する空気調和機に接続された換気、排塵用のホースの先端に取り付けられる軸構造と、前記軸構造の開口部に開閉自在に設けられた開閉蓋と、前記軸構造及び前記開閉蓋を覆うカフスから構成され、前記開閉蓋の外形を、前記開口部の外形よりも小さくした空気調和機の排気排塵ダンパー。
【請求項２】
軸構造に、開閉蓋が前記軸構造に密着しないようにするためのストッパーを設けた請求項１に記載の空気調和機の排気排塵ダンパー。
【請求項３】
軸構造の端面の下部に、開閉蓋を覆うリブを設けた請求項１又は２に記載の空気調和機の排気排塵ダンパー。
【請求項４】
軸構造の端面の左右に、開閉蓋を覆うリブを設けた請求項１〜３のいずれか１項に記載の空気調和機の排気排塵ダンパー。
【請求項５】
軸構造の端面の略全周に、開閉蓋を覆うリブを設けた請求項１又は２に記載の空気調和機の排気排塵ダンパー。
【発明の詳細な説明】
【技術分野】
【０００１】
本発明は、換気機能と、フィルター掃除後の埃を屋外に排出するフィルター掃除機能を備えた空気調和機に接続される空気調和機の排気排塵ダンパーに関するものである。
【背景技術】
【０００２】
従来のこの種の空気調和機の排気排塵ダンパーとして、空気調和機に接続された換気ホースの先端に取り付けられるようにしたものがある（例えば、未公開自社出願の特願２００５−３３６５５６参照）。
【０００３】
図９は、上記特許文献１に記載された従来の空気調和機の排気排塵ダンパーのカフスを外した状態の斜視図、図１０は、図９のＣ−Ｃ断面図、図１１は、同空気調和機の排気排塵ダンパーの斜視図である。
【０００４】
図９〜１１において、従来の空気調和機の排気排塵ダンパーは、換気機能及びフィルター掃除機能を有する空気調和機（図示せず）に接続された換気、排塵用のホース（図示せず）の先端に取り付けられる軸構造２と、軸構造２に回動自在に取着され軸構造２の開口部２ａを開閉する開閉蓋１と、前記開閉蓋１及び軸構造２の２部品を覆うカフス３で構成されており、開閉蓋１の外形が、軸構造２の外形より大きく、開閉蓋１の閉時に、開閉蓋２が、軸構造２の外形をはみ出て覆い被さるように構成されていた。
【発明の開示】
【発明が解決しようとする課題】
【０００５】
空気調和機の排気排塵ダンパーは、通常屋外の壁面にとりつけられるものであり、特に、高層ビル等の壁面に設置された場合、強風が壁面を吹き上がることがあるが、従来の空気調和機の排気排塵ダンパーの構成では、強風をカフス３で受けきれず、軸構造２からはみ出ている開閉蓋１の周囲に風が回りこみ、開閉蓋１を浮き上がらせ、パタパタという開閉音が発生するという課題があった。
【０００６】
本発明は、上記従来の課題を解決するもので、排気排塵時のダンパー開閉動作は、現状の性能を保ったままで、風による開閉蓋の浮き上がり発生を抑えた空気調和機の排気排塵ダンパーを提供することを目的とする。
【課題を解決するための手段】
【０００７】
前記従来の課題を解決するために、本発明の空気調和機の排気排塵ダンパーは、換気機能及びフィルター掃除機能を有する空気調和機に接続された換気、排塵用のホースの先端に取り付けられる軸構造と、前記軸構造の開口部に開閉自在に設けられた開閉蓋と、前記軸構造及び前記開閉蓋を覆うカフスから構成され、前記開閉蓋の外形を、前記開口部の外形よりも小さくしたもので、開閉蓋の閉時に、軸構造の外形よりも開閉蓋がはみ出さず、外部から、開閉蓋を持ち上げる力を受けにくい構造となり、風の吹き上がりなど外部からの影響による開閉蓋の浮きあがりを抑制することが出来る。
【発明の効果】
【０００８】
本発明の空気調和機の排気排塵ダンパーは、開閉蓋の閉時に、周囲から開閉蓋を持ち上げる方向の力を受けにくいので、風が壁面を吹き上げてきた際でも、開閉蓋が浮き上がりにくい。
【発明を実施するための最良の形態】
【０００９】
第１の発明は、換気機能及びフィルター掃除機能を有する空気調和機に接続された換気、排塵用のホースの先端に取り付けられる軸構造と、前記軸構造の開口部に開閉自在に設けられた開閉蓋と、前記軸構造及び前記開閉蓋を覆うカフスから構成され、前記開閉蓋の外形を、前記開口部の外形よりも小さくしたもので、開閉蓋の閉時に、軸構造の外形よりも開閉蓋がはみ出さず、外部から、開閉蓋を持ち上げる力を受けにくい構造となり、風の吹き上がりなど外部からの影響による開閉蓋の浮きあがりを抑制することが出来る。
【００１０】
第２の発明は、特に、第１の発明の軸構造に、開閉蓋が前記軸構造に密着しないようにするためのストッパーを設けたもので、排気排塵ダンパーの内部と外部の気圧差が生じることを防止し、排気排塵時のスムーズなダンパー開閉動作が得られる。
【００１１】
第３の発明は、特に、第１又は第２の発明の軸構造の端面の下部に、開閉蓋を覆うリブを設けたもので、開閉蓋の閉時に風などの外部からの影響による開閉蓋の浮き上がりを、より効果的に抑制することができる。
【００１２】
第４の発明は、特に、第１〜３のいずれか一つの発明の軸構造の端面の左右に、開閉蓋を覆うリブを設けたもので、開閉蓋の閉時に風などの外部からの影響による開閉蓋の浮き上がりを、より効果的に抑制することができる。
【００１３】
第５の発明は、特に、第１又は第２の発明の軸構造の端面の略全周に、開閉蓋を覆うリブを設けたもので、開閉蓋の閉時に風などの外部からの影響による開閉蓋の浮き上がりを、より効果的に抑制することができる。
【００１４】
以下、本発明の実施の形態について、図面を参照しながら説明する。なお、本実施の形態によって本発明が限定されるものではない。
【００１５】
（実施の形態１）
図１は、本発明の第１の実施の形態における空気調和機の排気排塵ダンパーの斜視図（カフスを外した状態）、図２は、図１のＡ−Ａ断面図である。尚、上記従来の空気調和機の排気排塵ダンパーと同一部分については、同一符号を付してその説明を省略する。
【００１６】
図１、２において、本実施の形態における空気調和機の排気排塵ダンパー１０は、換気機能及びフィルター掃除機能を有する空気調和機（図示せず）に接続された換気、排塵用のホース（図示せず）の先端に取り付けられる軸構造２と、軸構造２に回動自在に取着され軸構造２の開口部２ａを開閉する開閉蓋１と、前記開閉蓋１及び軸構造２の２部品を覆うカフス３（図１１参照）で構成され、開閉蓋１の外形を、軸構造２の外形よりも小さく形成したものである。
【００１７】
本実施の形態における空気調和機の排気排塵ダンパー１０は、以上のように構成されているので、開閉蓋１が閉じる時に、開閉蓋１が軸構造２の周囲よりはみ出す部分がないため、風など外部の影響による開閉蓋１の浮き上がりが発生しにくくなる。
【００１８】
（実施の形態２）
図３は、本発明の第２の実施の形態における空気調和機の排気排塵ダンパーの斜視図（カフスを外した状態）である。尚、上記第１の実施の形態における空気調和機の排気排塵ダンパーと同一部分については、同一符号を付してその説明を省略する。
【００１９】
本実施の形態における空気調和機の排気排塵ダンパー１５は、図３に示すように、軸構造２の端面の下部に、閉時に開閉蓋１が軸構造２に密着しないようにするためのストッパー４を設けたもので、他の構成は、上記第１の実施の形態における空気調和機の排気排塵
ダンパー１０と同一である。
【００２０】
本実施の形態における空気調和機の排気排塵ダンパー１５は、以上のように構成されているので、閉時に開閉蓋１が軸構造２に密着せず、内外の圧力差が発生しないため、開閉蓋１の内圧による貼りつきが発生せず、排気排塵時のダンパー開閉動作を妨げることがない。
【００２１】
（実施の形態３）
図４は、本発明の第３の実施の形態における空気調和機の排気排塵ダンパーの斜視図（カフスを外した状態）、図５は、図４のＢ−Ｂ断面図である。尚、上記実施の形態における空気調和機の排気排塵ダンパーと同一部分については、同一符号を付してその説明を省略する。
【００２２】
本実施の形態における空気調和機の排気排塵ダンパー２０は、図４、５に示すように、軸構造２の端面下部に、防風壁の役目を果たすリブ５を設けたもので、他の構成は、上記第２の実施の形態における空気調和機の排気排塵ダンパー１５と同一である。
【００２３】
本実施の形態における空気調和機の排気排塵ダンパー２０は、以上のように構成されているので、リブ５が、外部からの風を遮る防風壁の役目を果たすため、風などの外部の影響による開閉蓋１の浮き上がりがより発生しにくくなるものである。
【００２４】
（実施の形態４）
図６は、本発明の第４の実施の形態における空気調和機の排気排塵ダンパーの斜視図（カフスを外した状態）である。尚、上記実施の形態における空気調和機の排気排塵ダンパーと同一部分については、同一符号を付してその説明を省略する。
【００２５】
上記第３の実施の形態では、軸構造２の端面下部に、防風壁としてのリブ５を設けたが、本実施の形態における空気調和機の排気排塵ダンパー２５は、図６に示すように、軸構造２の端面の左右に、防風壁としてのリブ５を設けたもので、上記第３の実施の形態同様に、風などの外部の影響による開閉蓋１の浮き上がりがより発生しにくくなるものである。
【００２６】
（実施の形態５）
図７は、本発明の第５の実施の形態における空気調和機の排気排塵ダンパーの斜視図（カフスを外した状態）、図８は、同空気調和機の排気排塵ダンパーの斜視図（カフスを外し、開閉蓋１を開いた状態）である。尚、上記実施の形態における空気調和機の排気排塵ダンパーと同一部分については、同一符号を付してその説明を省略する。
【００２７】
本実施の形態における空気調和機の排気排塵ダンパー３０は、図７、８に示すように、防風壁としてのリブ５を、軸構造２の端面の上部を除く略全周に渡って、前記開閉蓋１の端面を覆うように設けたもので、上記第３、４の実施の形態同様に、風などの外部の影響による開閉蓋１の浮き上がりがより発生しにくくなるものである。
【産業上の利用可能性】
【００２８】
本発明の空気調和機の排気排塵ダンパーは、内部からの排気排塵能力を低下させることなく、外部の影響による開閉蓋の浮き上がりを抑制することができるので、風などの影響をうけやすい箇所に設置されるさまざまな開閉ダンパー機構に適用できる。
【図面の簡単な説明】
【００２９】
【図１】本発明の実施の形態１における空気調和機の排気排塵ダンパーの斜視図（カフスを外した状態）
【図２】図１のＡ−Ａ断面図
【図３】本発明の実施の形態２における空気調和機の排気排塵ダンパーの斜視図（カフスを外した状態）
【図４】本発明の実施の形態３における空気調和機の排気排塵ダンパーの斜視図（カフスを外した状態）
【図５】図４のＢ−Ｂ断面図
【図６】本発明の実施の形態４における空気調和機の排気排塵ダンパーの斜視図（カフスを外した状態）
【図７】本発明の実施の形態５における空気調和機の排気排塵ダンパーの斜視図（カフスを外した状態）
【図８】同空気調和機の排気排塵ダンパーの斜視図（カフスを外し、開閉蓋１を開いた状態）
【図９】従来の空気調和機の排気排塵ダンパーのカフスを外した状態の斜視図
【図１０】図９のＣ−Ｃ断面図
【図１１】同空気調和機の排気排塵ダンパーの斜視図
【符号の説明】
【００３０】
１  開閉蓋
２ａ  開口部
２  軸構造
３  カフス
４  ストッパー
５  リブ
【図１】
2008224138.tif 000003
【図２】
2008224138.tif 000004
【図３】
2008224138.tif 000005
【図４】
2008224138.tif 000006
【図５】
2008224138.tif 000007
【図６】
2008224138.tif 000008
【図７】
2008224138.tif 000009
【図８】
2008224138.tif 000010
【図９】
2008224138.tif 000011
【図１０】
2008224138.tif 000012
【図１１】
2008224138.tif 000013